(57)【要約】【課題】簡便に結合・取外しができ、装着部材に寸法変化が生じても、挿入時の負荷や結合後の固定力の変動が小さい、塗膜転写具と事務用品の結合構造を提供すること。【解決手段】塗膜転写具と事務用品の結合構造は、事務用品一体式塗膜転写具１０における、塗膜転写具２０の端部に一体形成された装着部材２２と、事務用品３０の端部に一体形成された装着部材３２からなる。装着部材２２，３２が、一方が軸形状、他方が軸穴形状に形成され、互いに嵌合して結合するための嵌合部２４，３４を有し、少なくとも一方の装着部材２２（又は３２）の嵌合部２４（又は３４）が弾性変形可能になっている。嵌合方式であるので、結合・取外しが容易で、少なくとも一方の装着部材の嵌合部が弾性変形可能にされているので、装着部材に寸法変化が生じても、挿入時の負荷や結合後の固定力の変動を小さくできる。【選択図】図１
2005074761.tif 000002
【特許請求の範囲】
【請求項１】
事務用品一体式塗膜転写具における塗膜転写具と事務用品の結合構造であって、
前記塗膜転写具の端部に一体形成された装着部材と、前記事務用品の端部に一体形成された装着部材とからなり、
前記装着部材は、一方が軸形状、他方が軸穴形状に形成され、互いに嵌合して結合するための嵌合部を有し、少なくとも一方の前記装着部材において、前記嵌合部が弾性変形可能であることを特徴とする、
塗膜転写具と事務用品の結合構造。
【請求項２】
前記嵌合部が前記装着部材周方向に連続的に設けられた凹部と凸部により構成され、前記凸部が弾性体からなる、請求項１の塗膜転写具と事務用品の結合構造。
【請求項３】
前記嵌合部が前記装着部材周方向に連続的に設けられた凹部と凸部により構成され、前記装着部材の一方にスリットが設けられている、請求項１の塗膜転写具と事務用品の結合構造。
【請求項４】
前記嵌合部がピンとピン穴の組合せにより構成され、前記装着部材の一方にスリットが設けられている、請求項１の塗膜転写具と事務用品の結合構造。
【請求項５】
前記嵌合部が爪と爪受けの組合せにより構成され、前記装着部材の少なくとも一方の爪又は爪受けのある方にスリットが設けられている、請求項１の塗膜転写具と事務用品の結合構造。
【発明の詳細な説明】
【技術分野】
【０００１】
本発明は、文字修正用塗膜、接着用粘着材膜、装飾用塗膜等を被転写面に押圧転写するための塗膜転写具と筆記具等の事務用品を着脱可能に一体化させる、塗膜転写具と事務用品の結合構造に関する。
【背景技術】
【０００２】
従来から、塗膜転写具と、ボールペンのような事務用品とを一体化し、塗膜転写具を交換可能とした事務用品一体式塗膜転写具として、様々な製品が開発されてきた。
例えば、特許文献１には、図６に示すような事務用品一体式塗膜転写具が開示されている。この事務用品一体式塗膜転写具６０は、長手方向に向かって二分割型となるケース６１と、一方の面に粘着剤又は修正剤等の転着剤が積層された転着テープＴを被転着面に押付けて転着剤を転着する転着ヘッド６４を具えて構成されている。
【０００３】
前記ケース６１は、ケース要素６１Ａとケース要素６１Ｂからなり、各ケース要素は、それぞれ二つの皿状部材を相互に嵌合することによって組立てられている。各ケース要素６１Ａ、６１Ｂは、それらの相対する端部領域を受入れ可能な凹部形状を具えた連結部材６６によって、相互に着脱可能に連結されている。
ケース要素６１Ａ側は塗膜転写具として機能し、ケース要素６１Ｂ側は先端側にペン先６８及びキャップ６９を具えたペンとして機能するようになっている。  
【０００４】
また、特許文献２には、図７に示すような事務用品一体式塗膜転写具が開示されている。この事務用品一体式塗膜転写具７０は、連結筒７１を介して一体的にされたペン部７２と、このペン部７２とは反対側の位置に設けられた塗膜転写具７３とを具えて構成され、塗膜転写具７３の端部に設けられた突部と、連結筒７１に形成された穴が嵌合することで、塗膜転写具７３は連結筒７１と着脱可能に連結される。
【０００５】
しかし、このように、塗膜転写具を事務用品に連結部材を介して連結した事務用品一体式塗膜転写具では、塗膜転写具の使用後、新たな塗膜転写具と交換する際、使用済塗膜転写具を事務用品から取外さなければならないが、誤って連結部材ごと事務用品から外れてしまうこともある。こうなると新たな塗膜転写具を事務用品に取付けるのが面倒であるばかりでなく、このような事務用品一体式塗膜転写具では部品点数が多くなるという問題がある。
【０００６】
このような問題に対して、図８に示すような、塗膜転写具８２と事務用品８４とを直接的に着脱可能に一体化した事務用品一体式塗膜転写具８０がある。
この事務用品一体式塗膜転写具８０には、塗膜転写具８２と筆記具等の事務用品８４を着脱可能に一体化させるための結合構造として、塗膜転写具８２の端部に一体成形された軸形状の装着部材８６と、事務用品の端部に一体形成された軸穴形状の装着部材８８が設けられている。
【０００７】
これらの装着部材８６，８８には、図９に示すように、螺子山を設けたり（例えば、特許文献３参照。）、図１０に示すように凹凸が設けられる。凹凸を設けた場合は、それぞれの装着部材８６，８８の凹部と凸部を嵌め合わせることで、結合が行われる。
【０００８】
この事務用品一体式塗膜転写具８０の結合構造によれば、事務用品８４と塗膜転写具８２との間に中間部材である連結部材を介して連結することなく、事務用品８４に形成された装着部材８８と、塗膜転写具８２に形成された装着部材８６とを嵌合するだけで、事務用品８４と塗膜転写具８２とを一体化できるので、使用済塗膜転写具を交換する際、使用済塗膜転写具を事務用品から直接取外すことができ、次に、新たな塗膜転写具を事務用品に取付けるだけで、確実、容易に事務用品を装着することができる。
【特許文献１】特開平１０−２５０５６号公報
【特許文献２】特開平１０−１８１２８８号公報
【特許文献３】特表２００３−５１１２６５号公報
【発明の開示】
【発明が解決しようとする課題】
【０００９】
しかし、図９のように装着部材８６，８８に螺子山と螺子溝を設ける場合、螺子のため回す手間が必要であるので、結合・取外しが面倒である。また、製品形状を作るための金型構造が複雑であるので、製造に時間と手間がかかるという問題を有する。
一方、図１０のように装着部材８６，８８に凹凸を設ける場合、装着部材８６，８８の寸法の変化により挿入時の負荷や、結合後の固定力が変化しやすく、厳密な寸法管理が必要であることから、精度良く加工しなければならないため、製造に時間と手間がかかるという問題を有する。
【００１０】
本発明は、上述した問題に鑑み、簡便に結合・取外しができ、装着部材に寸法変化が生じても、挿入時の負荷や結合後の固定力の変動が小さく、短時間・低コストで加工することができる塗膜転写具と事務用品の結合構造を提供することを目的とする。
【課題を解決するための手段】
【００１１】
本発明は、事務用品一体式塗膜転写具における塗膜転写具と事務用品の結合構造であって、前記塗膜転写具の端部に一体形成された装着部材と、前記事務用品の端部に一体形成された装着部材とからなり、前記装着部材は、一方が軸形状、他方が軸穴形状に形成され、互いに嵌合して結合するための嵌合部を有し、少なくとも一方の前記装着部材において、前記嵌合部が弾性変形可能であることを特徴とする塗膜転写具と事務用品の結合構造によって、前記の課題を解決した。
【発明の効果】
【００１２】
本発明によれば、少なくとも一方の装着部材の嵌合部が弾性変形可能に構成されているので、装着部材に寸法変化が生じても、挿入時の負荷や結合後の固定力の変動を小さくできる。また、厳密な寸法管理の必要がなくなることから、事務用品一体式塗膜転写具を短時間・低コストで製造することができる。
また、螺子式ではなく、装着部材の嵌合により結合させるので、結合・取外しが簡便にできる。
【発明を実施するための最良の形態】
【００１３】
本発明の塗膜転写具と事務用品の結合構造の実施形態を、図１乃至図５に基づいて説明する。
本発明の塗膜転写具２０と事務用品３０の結合構造は、事務用品一体式塗膜転写具１０における、塗膜転写具２０の端部に一体形成された装着部材２２と、事務用品３０の端部に一体形成された装着部材３２からなる。本発明の結合構造は、装着部材２２，３２が、一方が軸形状、他方が軸穴形状に形成され、互いに嵌合して結合するための嵌合部２４，３４を有し、少なくとも一方の装着部材２２（又は３２）の嵌合部２４（又は３４）が弾性変形可能に構成されていることを特徴とする。
【００１４】
装着部材２２，３２に設けられる嵌合部２４，３４は、装着部材周方向に連続的に形成した凹部と凸部の組合せ、ピンとピン穴の組合せ、爪と爪受けの組合せ等により構成される。
装着部材２２，３２の嵌合部２４，３４は、嵌合部２４，３４を弾性部材によって構成したり、装着部材２２，３２にスリットを設けることで弾性変形可能に構成される。
【００１５】
本発明の実施形態１を図１に示す。
この結合構造は、嵌合部２４，３４として、塗膜転写具２０の軸状装着部材２２に装着部材周方向に連続的に凸部２４２を設け、事務用品３０の軸穴状装着部材３２に装着部材周方向に連続的に凹部３４２を形成したもので、装着部材２２の凸部２４２は、弾性変形可能なゴム状弾性体（例えば、Ｏリング）で構成されている。
【００１６】
本発明の実施形態２を図２に示す。
この結合構造は、実施形態１と同様に、嵌合部２４，３４として、塗膜転写具２０の軸状装着部材２２に装着部材周方向に連続的に凸部２４２を形成し、事務用品３０の軸穴状装着部材３２に装着部材周方向に連続的に凹部３４２を形成したものであるが、装着部材２２の凸部２４２の設けられている部分が弾性変形しやすいように、スリット４０が設けられている。
【００１７】
本発明の実施形態３を図３に示す。
この結合構造は、ピンとピン穴式のもので、嵌合部２４，３４として、塗膜転写具２０の軸状装着部材２２にピン２４４を形成し、事務用品３０の軸穴状装着部材３２にピン穴３４４を形成したものである。装着部材３２のピン穴３４４の入口を弾性変形可能にするために、装着部材３２のピン穴３４４から開口部にかけてスリット４２が設けられている。
【００１８】
本発明の実施形態４を図４に示す。
この結合構造もピンとピン穴式のもので、実施形態３と同様に、嵌合部２４，３４として、塗膜転写具２０の軸状装着部材２２にピン２４６を形成し、事務用品３０の軸穴状装着部材３２の内壁にピン穴３４６を形成したものであるが、装着部材３２のピン穴３４６のある部分を弾性変形可能にするために、ピン穴３４６の両側にスリット４４が設けられている。
【００１９】
本発明の実施形態５を図５に示す。
この結合構造は、爪と爪受け式のもので、嵌合部２４，３４として、塗膜転写具２０の軸状装着部材２２に爪２４８を形成し、事務用品３０の軸穴状装着部材３２に爪受け３４８を形成したものである。装着部材３２の爪受け３４８を弾性変形可能にするために、装着部材３２の爪受け３４８の両側にスリット４６が設けられている。
【００２０】
なお、これまで、塗膜転写具に軸状装着部材、事務用品に軸穴状装着部材を設ける結合構造を例示してきたが、これに限るものではなく、逆に、塗膜転写具に軸穴状装着部材、事務用品に軸状装着部材を設けることもある。
また、事務用品とは、ボールペン等のような筆記具に限るものではなく、スティックのり、消しゴム、印鑑等、一般に使用される事務用品であればよい。
【００２１】
以上説明したように、本発明によれば、少なくとも一方の装着部材の嵌合部が弾性変形可能に構成されているので、装着部材に寸法変化が生じても、挿入時の負荷や結合後の固定力の変動を小さくすることができる。また、厳密な寸法管理の必要がなくなることから、事務用品一体式塗膜転写具を短時間・低コストで製造することができる。
また、螺子式ではなく、装着部材の嵌合により結合させるので、結合・取外しが簡便にできるという効果を奏する。
【図面の簡単な説明】
【００２２】
【図１】本発明の塗膜転写具と事務用品の結合構造の実施形態１の概略図。
【図２】本発明の塗膜転写具と事務用品の結合構造の実施形態２の概略図。
【図３】本発明の塗膜転写具と事務用品の結合構造の実施形態３の概略図。
【図４】本発明の塗膜転写具と事務用品の結合構造の実施形態４の概略図。
【図５】本発明の塗膜転写具と事務用品の結合構造の実施形態５の概略図。
【図６】従来の事務用品一体式塗膜転写具の概略断面図。
【図７】他の従来の事務用品一体式塗膜転写具の正面図。
【図８】さらに他の従来の事務用品一体式塗膜転写具の概略断面図。
【図９】装着部材に螺子山を設けた、図８の部分断面図。
【図１０】装着部材に凹凸を設けた、図８の部分断面図。
【符号の説明】
【００２３】
１０：事務用品一体式塗膜転写具
２０：塗膜転写具
３０：事務用品
２２，３２：装着部材
２４，３４：嵌合部
４０，４２，４４，４６：スリット
【図１】
2005074761.tif 000003
【図２】
2005074761.tif 000004
【図３】
2005074761.tif 000005
【図４】
2005074761.tif 000006
【図５】
2005074761.tif 000007
【図６】
2005074761.tif 000008
【図７】
2005074761.tif 000009
【図８】
2005074761.tif 000010
【図９】
2005074761.tif 000011
【図１０】
2005074761.tif 000012